(57)【要約】      （修正有）【課題】被覆電線の先端部分に圧着端子金具を固定する作業の際には、被覆電線の先端部分を位置決め固定する必要があるが、従来の両側から挟み込む方法では、横方向に挟持部材設置用の大きなスペースを必要とし、狭いピッチで並設することは不可能であった。【解決手段】被覆電線４の被覆部の外径よりわずかに大きい横巾と深さを有する略角形をした被覆電線挿入溝１４が前後方向にわたって複数条並行に上面３に形成された金属製の下ブロック材１と、前記下ブロック材１の上面３にぴったりと当接する平坦な下面１６を有する昇降可能な上ブロック材２とからなり、下ブロック材１の電線挿入溝１４の直下にはそれぞれ垂直な透孔５が形成され、該透孔５中には上端が曲線状に膨出した弧状部１８となっている被覆電線押圧用ロッド６の前記弧状部１８が電線挿入溝１４内にわずかに露出する様にした。【選択図】        図１
2005065450.tif 000002
【特許請求の範囲】
【請求項１】
被覆電線４の被覆部の外径よりわずかに大きい横巾と深さを有する略角形をした被覆電線挿入溝１４が前後方向にわたって複数条並行に上面３に形成された金属製の下ブロック材１と、前記下ブロック材１の上面３にぴったりと当接する平坦な下面１６を有する昇降可能な上ブロック材２とからなり、下ブロック材１の電線挿入溝１４の直下にはそれぞれ垂直な透孔５が形成され、該透孔５中には上端が曲線状に膨出した弧状部１８となっている被覆電線押圧用ロッド６の前記弧状部１８が電線挿入溝１４内にわずかに露出する様に弱い押圧力によって上方に付勢されつつ位置せしめられており、該被覆電線押圧用ロッド６の下部には弱いコイルバネ７が、更にこの弱いコイルバネ７の下部には接続子９及び接続子保持ブロック１７を介して強いコイルバネ１１がそれぞれ同軸状に取付けられていると共に、強いコイルバネ１１の下部には昇降可能なコイルバネ押圧用ブロック材１２が位置せしめられており、該コイルバネ押圧用ブロック材１２を上昇させることにより、強いコイルバネ１１の力によって被覆電線押圧用ロッド６を上方に付勢させられる様になっていることを特徴とする被覆電線先端部位置固定装置。
【発明の詳細な説明】
【技術分野】
【０００１】
この発明は電気部品の加工技術、詳しくは、被覆電線に対する各種加工作業に先立ち、被覆電線の先端部分を位置決め固定する為の装置に関するものである。
【背景技術】
【０００２】
芯線の周囲を絶縁性の被覆で覆った被覆電線の芯線部分に圧着端子金具を固定する作業は、各種電気機器製造組立の際に日常的に広く行われている。この作業は、被覆電線の先端部分の被覆部を適当長さだけ剥ぎ取り、その部分の芯線を露出させ、ここに圧着端子金具を取付けるという手順によって行われている。この作業を行う為には、被覆電線の先端付近を何らかの手段によって位置決め固定しておくことが必要である。
【特許文献１】特開昭６３−２８７３１２号公報。
【非特許文献１】見当らず。
【発明の開示】
【発明が解決しようとする課題】
【０００３】
前記特許文献１に開示されている被覆電線固定手段は、単一の被覆電線を対象としており、束になっている複数の被覆電線のそれぞれ先端に同時に圧着端子金具を取付けることは全く想定していなかった。
【０００４】
また、この特許文献１に開示されている被覆電線固定手段は、両側から被覆電線を挟み込む構造となっており、これによって複数の被覆電線の固定作業を行おうとするなら、挟持部材を左右方向にいくつも配置しなければならず、左右方向に過大なスペースを必要とし、装置全体としても極めてアンバランスなものとならざるを得ないという問題があった。
【０００５】
特に最近では、自動車用電装部品の分野などにおいては、６〜１０本もの被覆電線が束になったものが多用されており、これらに圧着端子金具を固定しようとする場合、被覆電線の両側から挟持部材で挟み込む上記従来の手法では十分対応できなかった。
【課題を解決するための手段】
【０００６】
本発明者は複数の被覆電線へ圧着端子金具を固定する際の上記問題点を解決せんとして鋭意研究を行った結果、左右から挟み込む従来の固定方法に代えて、位置決め用の溝に被覆電線を通すという全く新しい手法により、より狭い間隔で複数の被覆電線を整列固定させることが出来る新しい被覆電線先端部位置決め固定装置を開発することに成功した。
【発明の効果】
【０００７】
より狭い間隔で複数の被覆電線を整列固定させることが出来るので、装置全体のコンパクト化が可能である。又、可動部分が少なく、しかもその動きは単純な上下動であるので、駆動の為の機構は本体の上下位置に設置することができ、設置面積が小さくてすみ、調整も容易で、耐久性に富み、故障のおそれもほとんどなく、低コストで製作することが可能である。
【発明を実施するための最良の形態】
【０００８】
被覆電線４の被覆部の外径よりわずかに大きい横巾と深さを有する略角形をした被覆電線挿入溝１４が前後方向にわたって複数条並行に上面３に形成された金属製の下ブロック材１と、前記下ブロック材１の上面３にぴったりと当接する平坦な下面１６を有する昇降可能な上ブロック材２とからなり、下ブロック材１の電線挿入溝１４の直下にはそれぞれ垂直な透孔５が形成され、該透孔５中には上端が曲線状に膨出した弧状部１８となっている被覆電線押圧用ロッド６の前記弧状部１８が電線挿入溝１４内にわずかに露出する様に弱い押圧力によって上方に付勢されつつ位置せしめられており、該被覆電線押圧用ロッド６の下部には弱いコイルバネ７が、更にこの弱いコイルバネ７の下部には接続子９及び接続子保持ブロック１７を介して強いコイルバネ１１がそれぞれ同軸状に取付けられていると共に、強いコイルバネ１１の下部には昇降可能なコイルバネ押圧用ブロック材１２が位置せしめられており、該コイルバネ押圧用ブッロク材１２を上昇させることにより、強いコイルバネ１１の力によって被覆電線押圧用ロッド６を上方に付勢させられる様にして被覆電線先端部位置固定装置を構成した。
【実施例１】
【０００９】
以上、図１乃至図８を参照しながら、実施例について説明する。図５はこの発明に係る被覆電線先端部位置固定装置の一実施例の側面縦断面図、図３はその要部である下ブロック材１と上ブロック材２の位置関係を示した斜視図、図１は図５における矢視Ａ−Ａ線縦断面である。
【００１０】
図中１は金属製の下ブロック材、２は同じく金属製の上ブロック材である。下ブロック材１は横長の直方体状をしており、その上面３には被覆電線の外径Ａよりわずかに大きい横巾と深さとを有する略角形断面の被覆電線挿入溝１４がその前後方向にわたって複数条並行に形成されている。
【００１１】
又、この下ブロック材１の被覆電線挿入溝１４直下には垂直に透孔５がそれぞれ形成されており、該透孔５中には被覆電線押圧用ロッド６が昇降自在に位置せしめられている。この被覆電線押圧用ロッド６の先端は図５に表われている様に曲線状に膨出しており、弧状部１８となっている。この弧状部１８を形成したのは、被覆電線４の外径の変化に応じて、強いコイルバネ１１の押圧力を追従させる為であり、これにより被覆電線４の外径が多少変動しても、あらかじめ設定した押圧力に近い押圧力が保持できる様になる。
【００１２】
そして、この被覆電線押圧用ロッド６の下部には、この被覆電線押圧用ロッド６を押し上げる為の弱いコイルバネ７の上部が同軸状に固定されており、この弱いコイルバネ７の下部は、有底円筒形をなし、上縁につば状の係止片８が形成された接続子９の凹部１０内に挿入されている。又、この接続子９は、横長の直方体状をした接続子保持ブロック１７の接続子保持用透孔２１の上縁にそのつば状の係止片８を載置させることにより、接続子保持ブロック１７に保持されている。
【００１３】
更に、この接続子９の下面には強いコイルバネ１１の上端が同軸状に当接されており、この強いコイルバネ１１の下端はコイルバネ押圧ブロック材１２の上面に設けられたコイルバネ収容凹部１３内に挿入されている。コイルバネ押圧ブロック材１２は横長直方体状をした部材であり、接続子保持ブロック１７の下方に位置し、図示せざる昇降手段によって上下方向にスライドする様になっている。又、この下ブロック材２の上面３の手前側には図５及び図６に示す様にテーパ状に上方が開き、下端が被覆電線挿入溝１４に連通したＶ字形の被覆電線案内切欠部１５が複数個設けられている。なお、図１中２３はコイルバネ押圧ブロック材１２を下方向に付勢するバネ材である。
【００１４】
一方、上ブロック材２は横長直方体状をした金属製部材であり、下ブロック材２の上面３にぴったりと当接する平滑な下面１６を有しており、図示せざる昇降機構によって、下ブロック材２と接合された下降位置、下ブロック材２と分離された上昇位置の２ポジションを任意に選択できる様になっている。
【００１５】
又、図中２２は下ブロック材１及び接続子保持ブロック１７を保持する為の枠体である。
【００１６】
次に、この実施例の作用について説明する。まずはじめに、図１、図３、図５にそれぞれ示す様に、上ブロック材２を下ブロック材１に接合させ、被覆電線挿入部１４の上端開口部分を上ブロック材２の下面１６で塞いでおくと共に、コイルバネ押圧ブロック材１２を下降させ、被覆電線押圧用ロッド６を下降させておく。この状態においては、接続子９のつば状の係止片８は接続子保持ブロック１７の上面に係止され、弱いバネ１１のみが被覆電線押圧用ロッド６を上方に押圧し、これによって、被覆電線押圧用ロッド６は上方に弱く付勢されている。
【００１７】
この状態において、作業者は被覆電線４を指で摘んでＶ字形をした被覆電線案内切欠部１５を通して、被覆電線挿入溝１４にその先端を差し込む。この被覆電線挿入溝１４の底には被覆電線押圧用ロッド６の先端部がわずかに露出しており、この先端部には緩い斜面からなる斜面部１８が形成されていると共に、弱いコイルバネ１１によって上方に付勢されているので、差し込まれた被覆電線４の先端部はこの弧状部１８の斜面を押し下げながら被覆電線挿入溝１４中を進み、図６に示す様にこれを貫通し、後方に突き抜けることになる。なお、この状態においては、被覆電線４は弱いコイルバネ７の押圧力によって仮に位置決めされていることになる。
【００１８】
この様に、順次各被覆電線挿入溝１４に被覆電線４を挿入し、下ブロック材１の後方に突き抜けさせたなら、図２及び図７に示す様に、コイルバネ押圧ブロック材１２を上昇させる。すると、被覆電線押圧用ロッド６に強いコイルバネ１１の押圧力が加わり、強い力で上方に付勢される。従って、被覆電線挿入溝１４に挿入されている被覆電線４は被覆電線押圧用ロッド６から強く押圧され、確実に固定されることになる。この状態において、被覆電線４先端部分の被覆の剥ぎ取りや圧着端子金具２４の固定など所定の作業を行い、この作業終了後は、図４及び図８に示す様に上ブロック材２を上方に分離すれば、圧着端子金具２４などが固定された加工済みの被覆電線４を上方へ取り出すことが出来る様になる。
【００１９】
この様に、この発明における被覆電線先端部位置固定装置においては、数条設けられた被覆電線挿入溝に被覆電線を挿入し、下方から被覆電線押圧用ロッドによって弱いバネ力による仮の位置決め固定及び強いバネ力による本固定を行い、作業終了後は上方に取り出すことができる様に構成しているので、複数の被覆電線をせまい間隔で並列固定することが可能で、装置全体をコンパクトにまとめることができる効果を有する。又、可動部分が少なく、その動きも単純な上下動で、その為の駆動機構は装置本体の上下位置に設置できるので、設置面積を小さくすることが可能で、調整も容易で、故障も少なく、すぐれた稼動性を有する。更に、製作も容易で低コストで調達することが出来る。
【産業上の利用可能性】
【００２０】
自動車用電装品、各種家電、産業用電気機器類製造の際に、大いに利用価値を有する。
【図面の簡単な説明】
【００２１】
【図１】この発明に係る被覆電線先端部位置固定装置の一実施例の正面縦断面図。
【図２】同じく、コイルバネ押圧ブロック材１２を上昇された状態の正面縦断面図。
【図３】本発明の主要構成要素である下ブロック材１と上ブロック材２の位置関係を説明する為の部分斜視図。
【図４】同じく、下ブロック材１と上ブロック材２とを分離した状態の斜視図。
【図５】図１に示した状態を側面方向から見た拡大縦断面図。
【図６】同じく、弱いコイルバネ７によって被覆電線４を仮固定している状態を側面方向から見た拡大縦断面図。
【図７】同じく、強いコイルバネ１１によって被覆電線４を本固定している状態を側面方向から見た拡大縦断面図。
【図８】一連の作業が完了し、上ブロック材２を分離した状態を側面方向から見た拡大断面図。
【符号の説明】
【００２２】
１    下ブロック材
２    上ブロック材
３    上面
４    被覆電線
５    透孔
６    被覆電線押圧用ロッド
７    弱いコイルバネ
８    係止片
９    接続子
１０    凹部
１１    強いコイルバネ
１２    コイルバネ押圧ブロック材
１３    収容凹部
１４    被覆電線挿入溝
１５    被覆電線案内切欠部
１６    下面
１７    接続子保持ブロック
１８    弧状部
２１    接続子保持用透孔
２２    枠体                                                                                 
２３    バネ材
２４    圧着端子金具
【図１】
2005065450.tif 000003
【図２】
2005065450.tif 000004
【図３】
2005065450.tif 000005
【図４】
2005065450.tif 000006
【図５】
2005065450.tif 000007
【図６】
2005065450.tif 000008
【図７】
2005065450.tif 000009
【図８】
2005065450.tif 000010